(57)【要約】  同期信号ブロックを利用する無線通信システムにおいて制御チャネルの設定領域の情報を適切に通知するために、ユーザ端末は、制御リソースセットの構成に関するビット情報を含む同期信号ブロックを受信する受信部と、前記受信に基づく指示情報に関連付けられた構成情報セット内の、前記ビット情報に関連付けられた構成情報に基づいて、前記制御リソースセットの構成の決定を制御する制御部と、を有することを特徴とする。
2019097633.tif 000002
【特許請求の範囲】
【請求項１】
制御リソースセットの構成に関するビット情報を含む同期信号ブロックを受信する受信部と、
前記受信に基づく指示情報に関連付けられた構成情報セット内の、前記ビット情報に関連付けられた構成情報に基づいて、前記制御リソースセットの構成の決定を制御する制御部と、を有することを特徴とするユーザ端末。
【請求項２】
前記指示情報は、前記同期信号ブロック及び／又は前記制御リソースセットの、周波数帯及びニューメロロジーの１つであることを特徴とする請求項１に記載のユーザ端末。
【請求項３】
前記制御部は、前記構成情報に基づいて、実際に送信される同期信号ブロックの有無を決定することを特徴とする請求項１又は請求項２に記載のユーザ端末。
【請求項４】
前記構成情報セットは、予め設定された複数の構成情報セットの１つであり、前記ビット情報の複数の値にそれぞれ関連付けられた複数の構成情報を含むことを特徴とする請求項１から請求項３のいずれかに記載のユーザ端末。
【請求項５】
前記複数の構成情報セットのそれぞれは、前記同期信号ブロックに対する前記制御リソースセットの相対位置と、前記制御リソースセットのためのデータ復調用参照信号のマッピングと、前記同期信号ブロック及び前記制御リソースセットの多重方式と、前記相対位置と前記マッピングと前記多重方式との少なくとも１つの組み合わせを指定するパターンと、の少なくとも１つを含むことを特徴とする請求項４に記載のユーザ端末。
【請求項６】
制御リソースセットの構成に関するビット情報を含む同期信号ブロックを受信する工程と、
前記受信に基づく指示情報に関連付けられた構成情報セット内の、前記ビット情報に関連付けられた構成情報に基づいて、前記制御リソースセットの構成の決定を制御する工程と、を有することを特徴とするユーザ端末の無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）において、ユーザ端末（ＵＥ：User  Equipment）は、初期接続（initial  access）手順（セルサーチ等とも呼ばれる）によって同期信号（ＰＳＳ（Primary  Synchronization  Signal）及び／又はＳＳＳ（Secondary  Synchronization  Signal））を検出し、ネットワーク（例えば、無線基地局（ｅＮＢ（eNode  B）））との同期をとるとともに、接続するセルを識別する（例えば、セルＩＤ（Identifier）によって識別する）。【０００５】
また、ユーザ端末は、セルサーチ後に、ブロードキャストチャネル（ＰＢＣＨ：Physical  Broadcast  Channel）で送信されるマスタ情報ブロック（ＭＩＢ：Master  Information  Block）、下りリンク（ＤＬ）共有チャネル（ＰＤＳＣＨ：Physical  Downlink  Shared  Channel）で送信されるシステム情報ブロック（ＳＩＢ：System  Information  Block）などを受信して、ネットワークとの通信のための設定情報（ブロードキャスト情報、システム情報などと呼ばれてもよい）を取得する。
【先行技術文献】
【非特許文献】
【０００６】
【非特許文献１】3GPP  TS  36.300  “Evolved  Universal  Terrestrial  Radio  Access  （E−UTRA）  and  Evolved  Universal  Terrestrial  Radio  Access  Network  (E-UTRAＮ);  Overall  Description;  Stage  2”
【発明の概要】
【発明が解決しようとする課題】
【０００７】
将来の無線通信システム（例えば、ＮＲ又は５Ｇ）においては、同期信号及びブロードキャストチャネルを含むリソースユニットを同期信号ブロックと定義し、当該ＳＳブロックに基づいて初期接続を行うことが検討されている。同期信号は、ＰＳＳ及び／又はＳＳＳ、又は、ＮＲ−ＰＳＳ及び／又はＮＲ−ＳＳＳ等とも呼ぶ。ブロードキャストチャネルは、ＰＢＣＨ又はＮＲ−ＰＢＣＨ等とも呼ぶ。同期信号ブロックは、ＳＳブロック（Synchronization  Signal  block）、又はＳＳ／ＰＢＣＨブロック等とも呼ぶ。【０００８】
ＳＳブロックを利用した初期接続では、ＳＳブロックを構成するＮＲ−ＰＢＣＨを利用して下り制御チャネルが設定される領域に関する情報等がＵＥに通知される。下り制御チャネル（ＮＲ−ＰＤＣＣＨ：Physical  Downlink  Control  Channel）の設定領域は、コントロールリソースセット（ＣＯＲＥＳＥＴ：Control  Resource  Set）、制御リソースセット、コントロールサブバンド（Control  Subband）、サーチスペースセット、サーチスペースリソースセット、コントロール領域、制御サブバンド、又はＮＲ−ＰＤＣＣＨ領域等とも呼ばれる。【０００９】
しかし、下り制御チャネルの設定領域に関する情報（CORESET  configuration、CORESET  information等とも呼ぶ）等をどのようにＮＲ−ＰＢＣＨに含めてＵＥに通知するかは決まっていない。また、下り制御チャネルの設定領域に含まれる下り制御チャネルによってデータの割り当て領域をどのように通知するかは決まっていない。【００１０】
本発明はかかる点に鑑みてなされたものであり、同期信号ブロックを利用する無線通信システムにおいて制御チャネルの設定領域の情報を適切に通知することができるユーザ端末及び無線通信方法を提供することを目的の１つとする。
【課題を解決するための手段】
【００１１】
本発明の一態様に係るユーザ端末は、制御リソースセットの構成に関するビット情報を含む同期信号ブロックを受信する受信部と、前記受信に基づく指示情報に関連付けられた構成情報セット内の、前記ビット情報に関連付けられた構成情報に基づいて、前記制御リソースセットの構成の決定を制御する制御部と、を有することを特徴とする。
【発明の効果】
【００１２】
本発明によれば、同期信号ブロックを利用する無線通信システムにおいて制御チャネルの設定領域の情報を適切に通知することができる。
【図面の簡単な説明】
【００１３】
【図１】図１Ａ及び図１Ｂは、ＳＳバーストセットの一例を示す図である。
【図２】図２Ａ及び図２Ｂは、ＳＳブロックの周波数帯によって異なる複数のＲＭＳＩ  ＣＯＲＥＳＥＴ構成テーブルの一例を示す図である。
【図３】図３Ａ−図３Ｃは、ＳＳブロック及びＲＭＳＩ  ＣＯＲＥＳＥＴがＴＤＭされ、ＲＭＳＩ  ＣＯＲＥＳＥＴ構成ビット情報によって異なるＣＯＲＥＳＥＴ時間幅が設定される場合のＣＯＲＥＳＥＴのマッピングの一例を示す図である。
【図４】図４Ａ−図４Ｃは、ＳＳブロック及びＲＭＳＩ  ＣＯＲＥＳＥＴがＴＤＭされ、ＲＭＳＩ  ＣＯＲＥＳＥＴ構成ビット情報によって異なるＣＯＲＥＳＥＴ帯域幅が設定される場合のＣＯＲＥＳＥＴのマッピングの一例を示す図である。
【図５】図５Ａ−図５Ｃは、ＳＳブロック及びＲＭＳＩ  ＣＯＲＥＳＥＴがＦＤＭされ、ＣＯＲＥＳＥＴ構成ビット情報によって異なるＣＯＲＥＳＥＴ時間幅が設定される場合のマッピングの一例を示す図である。
【図６】図６Ａ−図６Ｃは、ＳＳブロック及びＲＭＳＩ  ＣＯＲＥＳＥＴがＦＤＭされ、ＣＯＲＥＳＥＴ構成ビット情報によって異なるＣＯＲＥＳＥＴ帯域幅が設定される場合のＣＯＲＥＳＥＴのマッピングの一例を示す図である。
【図７】図７Ａ及び図７Ｂは、ＣＯＲＥＳＥＴマッピングタイプを含むＲＭＳＩ  ＣＯＲＥＳＥＴ構成テーブルの一例を示す図である。
【図８】図８Ａ−図８Ｃは、ＳＳブロック及びＲＭＳＩ  ＣＯＲＥＳＥＴがＦＤＭされる場合のＣＯＲＥＳＥＴのマッピングのタイプの一例を示す図である。
【図９】図９Ａ−図９Ｃは、ＳＳブロック及びＲＭＳＩ  ＣＯＲＥＳＥＴがＴＤＭされる場合のＣＯＲＥＳＥＴのマッピングのタイプの一例を示す図である。
【図１０】本発明の一実施形態に係る無線通信システムの概略構成の一例を示す図である。
【図１１】本発明の一実施形態に係る無線基地局の全体構成の一例を示す図である。
【図１２】本発明の一実施形態に係る無線基地局の機能構成の一例を示す図である。
【図１３】本発明の一実施形態に係るユーザ端末の全体構成の一例を示す図である。
【図１４】本発明の一実施形態に係るユーザ端末の機能構成の一例を示す図である。
【図１５】本発明の一実施形態に係る無線基地局及びユーザ端末のハードウェア構成の一例を示す図である。
【発明を実施するための形態】
【００１４】
将来の無線通信システム（例えば、ＬＴＥ  Ｒｅｌ．１４以降、５Ｇ又はＮＲなど）では、同期信号（ＳＳ、ＰＳＳ及び／又はＳＳＳ、又は、ＮＲ−ＰＳＳ及び／又はＮＲ−ＳＳＳ等をともいう）及びブロードキャストチャネル（ブロードキャスト信号、ＰＢＣＨ、又は、ＮＲ−ＰＢＣＨ等ともいう）を含む信号ブロック（ＳＳ／ＰＢＣＨブロック、ＳＳ／ＰＢＣＨブロック等ともいう）を定義することが検討されている。一以上の信号ブロックの集合は、信号バースト（ＳＳ／ＰＢＣＨバースト又はＳＳバースト）とも呼ばれる。当該信号バースト内の複数の信号ブロックは、異なる時間に異なるビームで送信される（ビームスィープ（beam  sweep）等ともいう）。
【００１５】
ＳＳ／ＰＢＣＨブロックは、一以上のシンボル（例えば、ＯＦＤＭシンボル）で構成される。具体的には、ＳＳ／ＰＢＣＨブロックは、連続する複数のシンボルで構成されてもよい。当該ＳＳ／ＰＢＣＨブロック内では、ＰＳＳ、ＳＳＳ及びＮＲ−ＰＢＣＨがそれぞれ異なる一以上のシンボルに配置されてもよい。例えば、ＳＳ／ＰＢＣＨブロックは、１シンボルのＰＳＳ、１シンボルのＳＳＳ、２又は３シンボルのＰＢＣＨを含む４又は５シンボルでＳＳ／ＰＢＣＨブロックを構成することも検討されている。
【００１６】
１つ又は複数のＳＳ／ＰＢＣＨブロックの集合は、ＳＳ／ＰＢＣＨバーストと呼ばれてもよい。ＳＳ／ＰＢＣＨバーストは、周波数及び／又は時間リソースが連続するＳＳ／ＰＢＣＨブロックで構成されてもよいし、周波数及び／又は時間リソースが非連続のＳＳ／ＰＢＣＨブロックで構成されてもよい。ＳＳ／ＰＢＣＨバーストは、所定の周期（ＳＳ／ＰＢＣＨバースト周期と呼ばれてもよい）で設定されてもよいし、又は、非周期で設定されてもよい。
【００１７】
また、１つ又は複数のＳＳ／ＰＢＣＨバーストは、ＳＳ／ＰＢＣＨバーストセット（ＳＳ／ＰＢＣＨバーストシリーズ）と呼ばれてもよい。ＳＳ／ＰＢＣＨバーストセットは周期的に設定される。ユーザ端末は、ＳＳ／ＰＢＣＨバーストセットが周期的に（ＳＳ／ＰＢＣＨバーストセット周期（SS  burst  set  periodicity）で）送信されると想定して受信処理を制御してもよい。
【００１８】
図１は、ＳＳバーストセットの一例を示す図である。図１Ａでは、ビームスイーピングの一例が示される。図１Ａ及び図１Ｂに示すように、無線基地局（例えば、ｇＮＢ）は、ビームの指向性を時間的に異ならせて（ビームスイーピング）、異なるビームを用いて異なるＳＳブロックを送信してもよい。なお、図１Ａ及び図１Ｂでは、マルチビームを用いた例が示されるが、シングルビームを用いてＳＳブロックを送信することも可能である。
【００１９】
図１Ｂに示すように、ＳＳバーストは１つ以上のＳＳブロックで構成され、ＳＳバーストセットは１つ以上のＳＳバーストで構成される。例えば、図１Ｂでは、ＳＳバーストが８ＳＳブロック＃０〜＃７で構成されるものとするが、これに限られない。ＳＳブロック＃０〜＃７は、それぞれ異なるビーム＃０〜＃７（図１Ａ）で送信されてもよい。
【００２０】
図１Ｂに示すように、ＳＳブロック＃０〜＃７を含むＳＳバーストセットは、所定期間（例えば、５ｍｓ以下、ＳＳバーストセット期間等ともいう）を超えないように送信されてもよい。また、ＳＳバーストセットは、所定周期（例えば、５、１０、２０、４０、８０又は１６０ｍｓ、ＳＳバーストセット周期等ともいう）で繰り替えされてもよい。
【００２１】
なお、図１Ｂでは、ＳＳブロック＃１及び＃２、＃３及び＃４、＃５及び＃６の間にそれぞれ所定の時間間隔があるが、当該時間間隔はなくともよく、他のＳＳブロック間（例えば、ＳＳブロック＃２及び＃３、＃５及び＃６の間など）に設けられてもよい。当該時間間隔には、例えば、ＤＬ制御チャネル（ＰＤＣＣＨ、ＮＲ−ＰＤＣＣＨ又は下りリンク制御情報（ＤＣＩ：Downlink  Control  Information）等ともいう）が送信されてもよいし、及び／又は、ＵＬ制御チャネル（ＰＵＣＣＨ：Physical  Uplink  Control  Channel）がユーザ端末から送信されてもよい。例えば、各ＳＳブロックが４シンボルで構成される場合、１４シンボルのスロット内には、２シンボルのＰＤＣＣＨと２つのＳＳブロック、２シンボル分のＰＵＣＣＨ及びガード時間が含まれてもよい。
【００２２】
また、ＳＳブロックに含まれるＰＢＣＨ（又は、ＰＢＣＨ用のＤＭＲＳ：DeModulation  Reference  Signal、ＰＢＣＨ  ＤＭＲＳ）を利用してＳＳブロックのインデックス（ＳＳブロックインデックス）が通知される。ＵＥは、ＰＢＣＨ（又は、ＰＢＣＨ  ＤＭＲＳ）に基づいて、受信したＳＳブロックのＳＳブロックインデックスを把握することができる。
【００２３】
また、無線基地局は、ＰＢＣＨを用いて下り制御チャネル（ＰＤＣＣＨ）が設定される領域に関する情報をＵＥに通知することが検討されている。ＰＤＣＣＨの設定領域に関する情報は、コントロールリソースセット構成（CORESET  configuration）、制御リソースセット構成、又はＰＤＣＣＨ構成と呼んでもよい。
【００２４】
また、無線基地局は、ＰＤＣＣＨを利用して、システム情報（例えば、ＲＭＳＩ（Remaining  Minimum  System  Information））をスケジューリングすることが検討されている。初期アクセス時にＵＥによって読まれるＭＳＩ（Minimum  System  Information）の一部は、ＰＢＣＨによって運ばれる。その残りのＭＳＩがＲＭＳＩであり、ＬＴＥにおけるＳＩＢ（System  Information  Block）１、ＳＩＢ２に類似する。ＲＭＳＩは単一のＴＢでブロードキャストされても良いし、複数のＴＢに分割されても良い。このとき、分割されたＲＭＳＩはＮＲ−ＳＩＢ１、ＮＲ−ＳＩＢ２と呼んでも良い。
【００２５】
ここで、ＲＭＳＩについて説明する。
【００２６】
ＲＭＳＩと、ページングと、初期アクセスのためのメッセージ２（Ｍｓｇ．２）及びメッセージ４（Ｍｓｇ．４）と、ブロードキャストＯＳＩ（Other  System  Information）に対し、１つのＤＬニューメロロジーが適用される。ブロードキャストＯＳＩは、ＭＳＩ以外のシステム情報であり、ＰＤＣＣＨ等によってブロードキャストされてもよい。
【００２７】
ＮＢ−ＰＢＣＨは、１ビットのニューメロロジー情報を運ぶ。例えば、６ＧＨｚの周波数に対し、ニューメロロジー情報は、１５ｋＨｚ又は３０ｋＨｚのサブキャリア間隔を示す。ＲＭＳＩ及びページングに対し、データチャネルと制御チャネルに同一のサブキャリア間隔が用いられる。
【００２８】
ＲＭＳＩを伝えるＰＤＳＣＨは、初期アクティブ（initial  active）ＤＬ  ＢＷＰ（Bandwidth  Part、部分帯域）に制限される。ＢＷＰは、ＤＬ及び／又はＵＬ通信に用いられるキャリア（コンポーネントキャリア（ＣＣ：Component  Carrier）又はシステム帯域等ともいう）内の一以上の周波数帯域（部分帯域）である。初期アクティブＤＬ  ＢＷＰは、初期アクセス時に設定されるＤＬ  ＢＷＰである。
【００２９】
ＲＭＳＩは、全てのビームに共通であってもよい。全てのＲＡＣＨ（Random  Access  Channel）構成情報は、セル内の全てのＲＭＳＩビームにおいてブロードキャストされる。ＲＭＳＩは、ＰＬＭＮ（Public  Land  Mobile  Network）のリスト、セルＩＤ、セル在圏（cell  camping）パラメータ、ＲＡＣＨパラメータと、を少なくとも含む。
【００３０】
ＵＥは、ＰＢＣＨで通知されるコントロールリソースセット構成に基づいて、ＰＤＣＣＨを受信し、当該ＰＤＣＣＨでスケジューリングされるＰＤＳＣＨ（Physical  Downlink  Shared  Channel）を受信し、ＰＤＳＣＨ内のＲＭＳＩを取得する。
【００３１】
ＵＥは、ＲＭＳＩをスケジュールするＰＤＣＣＨ（ＲＭＳＩ  ＰＤＣＣＨ）をモニタリングするためのウィンドウ（ＲＭＳＩ  ＰＤＣＣＨモニタリングウィンドウ）を用いる。ＲＭＳＩ  ＰＤＣＣＨモニタリングウィンドウは、ＳＳブロックに関連付けられる。ＲＭＳＩ  ＰＤＣＣＨモニタリングウィンドウは、周期的に繰り返される。すなわち、ＲＭＳＩ  ＰＤＣＣＨモニタリングウィンドウは、ＵＥがＲＭＳＩを読むタイミングを示す。
【００３２】
各ＲＭＳＩ  ＰＤＣＣＨモニタリングウィンドウは、ｘ個の連続するスロットの時間幅を有する。モニタリングウィンドウの周期ｙは、ＳＳバーストセットの周期と同一でもよいし、異なってもよい。
【００３３】
コントロールリソースセット構成をＰＢＣＨに含めて通知する内容は具体的に決まっておらず、コントロールリソースセット構成の具体的な通知方法（ビット数及び内容等）をどのように設定してＵＥに通知するかが問題となる。
【００３４】
ＰＢＣＨに適用可能なリソースも限られるため、ＰＢＣＨではペイロードを必要最低限に抑え、冗長度を高めて検出率を向上すると共に、コントロールリソースセット構成の設定範囲及び／又は粒度を抑制することが望ましい。
【００３５】
周波数帯が低い場合（低周波数帯、例えば、６ＧＨｚ未満、ｓｕｂ６と呼ばれてもよい）には、高周波数帯（例えば、６ＧＨｚ以上、ミリ波（millimeter  wave：ｍｍＷ）と呼ばれてもよい）と比較して適用するビーム数も少ない。また、高周波数帯ではマルチビームを適用することを考慮すると、コントロールリソースセット構成を広範囲及び／又は細かい粒度で設定することが望ましい。
【００３６】
ＰＢＣＨを利用して通知するコントロールリソースセット構成の内容（パラメータ）としては、コントロールリソースセットの帯域幅（ＢＷ）、期間（例えば、シンボル数）、開始タイミング（Start  timing）、及び周波数位置（Frequency  position）がある。このうち少なくとも一つの内容をＰＢＣＨに含まれるビット情報を利用して通知する。
【００３７】
コントロールリソースセットの帯域幅、期間、開始タイミング及び周波数位置の一部又は全部を通知する際、ＰＢＣＨに含まれるビット情報と、コントロールリソースセット構成の内容とを対応づけたテーブルを定義することが考えられる。ＵＥは、ＰＢＣＨに含まれるビット情報と予め設定されたテーブルに基づいて、コントロールリソースセット構成を判断し、コントロールリソースセットで送信される下り制御チャネルの受信を行うことができる。
【００３８】
例えば、ＰＢＣＨに含まれるビット情報に対応するコントロールリソースセット構成が規定されたテーブルを一つ定義することが考えられる。この場合、ＳＳブロックの送信に利用するサブキャリア間隔（ＳＣＳ）及び／又は周波数帯等に関わらず、１つの共通のテーブルを利用してビット情報でコントロールリソースセット構成の通知を行うことができる。
【００３９】
このように、ＲＭＳＩスケジューリングのためのＣＯＲＥＳＥＴ（ＲＭＳＩ  ＣＯＲＥＳＥＴ）に必要な構成情報（configuration）を、ＰＢＣＨペイロードで明示的に通知することが検討されているが、ＰＢＣＨペイロードサイズは制限される。一方で、柔軟なＲＭＳＩ  ＣＯＲＥＳＥＴの設定のために、ＲＭＳＩ  ＣＯＲＥＳＥＴの時間位置、周波数位置、時間幅、帯域幅、ＳＳブロックとの多重方法など、多くのパラメータを設定できることが望ましい。
【００４０】
本発明者らは、ＰＢＣＨ内の限られた通知ビットを用いてＣＯＲＥＳＥＴを柔軟に設定する方法を検討し、本発明に至った。
【００４１】
以下、本発明に係る実施形態について、図面を参照して詳細に説明する。各実施形態に係る無線通信方法は、それぞれ単独で適用されてもよいし、組み合わせて適用されてもよい。
【００４２】
（第１の態様）
ＰＢＣＨは、ＲＭＳＩ  ＣＯＲＥＳＥＴ構成ビット情報（ビットフィールドと呼ばれてもよい）を含む。無線基地局は、ＲＭＳＩ  ＣＯＲＥＳＥＴ構成に関する複数のパラメータ（構成情報）をジョイントコーディングすることによって、ＲＭＳＩ  ＣＯＲＥＳＥＴの設定の通知に必要な情報量を削減する。
【００４３】
ＵＥは、ＳＳブロック（ＳＳ及びＰＢＣＨ）の受信時に明示的及び／又は暗示的に得られる指示情報によって異なるテーブル（ＲＭＳＩ  ＣＯＲＥＳＥＴ構成テーブル）を用いてもよい。複数のＲＭＳＩ  ＣＯＲＥＳＥＴ構成テーブルが、仕様によって規定されてもよい。
【００４４】
例えば、ＳＳのニューメロロジー（例えば、サブキャリア間隔）によって異なるＲＭＳＩ  ＣＯＲＥＳＥＴ構成テーブルが想定されてもよい。また、ＳＳの周波数帯（band、例えば、周波数帯が所定周波数よりも高いか低いか、周波数帯の番号）によって異なるＲＭＳＩ  ＣＯＲＥＳＥＴ構成テーブルが想定されてもよい。
【００４５】
ＳＳの周波数帯によって異なるＲＭＳＩ  ＣＯＲＥＳＥＴ構成テーブルが想定されてもよい。言い換えれば、ＵＥ及び無線基地局は、周波数帯に関連する情報に応じてＲＭＳＩ  ＣＯＲＥＳＥＴ構成テーブルを切り替えてもよい。
【００４６】
ＲＭＳＩ  ＣＯＲＥＳＥＴのニューメロロジーによって異なるＲＭＳＩ  ＣＯＲＥＳＥＴ構成テーブルが想定されてもよい。言い換えれば、ＵＥ及び無線基地局は、ニューメロロジーに関連する情報に応じてＲＭＳＩ  ＣＯＲＥＳＥＴ構成テーブルを切り替えてもよい。
【００４７】
指示情報は、受信されたＳＳブロックにおけるＳＳ、ＰＢＣＨ、ＰＢＣＨ  ＤＭＲＳの少なくとも１つに基づいてもよい。
【００４８】
指示情報は、ＳＳに基づく情報であってもよい。例えば、指示情報は、ＳＳの周波数帯（band、例えば、周波数帯が所定周波数よりも高いか低いか、周波数帯の番号）と、ＳＳのニューメロロジー（例えば、サブキャリア間隔）と、セルＩＤと、の少なくとも１つを含んでもよい。
【００４９】
指示情報は、ＰＢＣＨに基づく情報であってもよい。例えば、指示情報は、システムフレーム番号（ＳＦＮ）と、ハーフ無線フレームタイミング指示（half  radio  frame  timing  indication）と、ＳＳブロック周波数オフセット指示と、ＣＯＲＥＳＥＴ構成と、ＲＭＳＩ、ページング、及びメッセージ２及び４のニューメロロジーと、最初のＤＭＲＳ位置の情報と、ＵＥがセル又はキャリアに在圏できないことを迅速に同定するための情報と、の少なくとも１つを含んでもよい。
【００５０】
指示情報は、ＰＢＣＨ  ＤＭＲＳに基づく情報であってもよい。例えば、指示情報は、ＳＳブロックインデックスを含んでもよい。
【００５１】
図２に示すように、ＲＭＳＩ  ＣＯＲＥＳＥＴ構成テーブルは、複数のパラメータを、ＲＭＳＩ  ＣＯＲＥＳＥＴ構成を示すビット情報（ＲＭＳＩ  ＣＯＲＥＳＥＴ構成ビット情報、ビットフィールド）に関連付ける。
【００５２】
ＰＢＣＨは、ＲＭＳＩ  ＣＯＲＥＳＥＴ構成ビット情報を含む。
【００５３】
ＵＥは、指示情報に対応するＲＭＳＩ  ＣＯＲＥＳＥＴ構成テーブルにおいて、ＲＭＳＩ  ＣＯＲＥＳＥＴ構成ビット情報に対応するパラメータを用いてＲＭＳＩ  ＣＯＲＥＳＥＴ構成を認識してもよい。ＵＥは、認識されたＲＭＳＩ  ＣＯＲＥＳＥＴ構成に示されたＣＯＲＥＳＥＴ内のＰＤＣＣＨをモニタし、ＰＤＣＣＨによってスケジュールされたＲＭＳＩを復号する。
【００５４】
ＲＭＳＩ  ＣＯＲＥＳＥＴ構成テーブルは、ＣＯＲＥＳＥＴの周波数リソースの情報、ＣＯＲＥＳＥＴの時間リソースの情報、ＤＭＲＳマッピングのタイプ（ＤＭＲＳマッピングタイプ）、他の関連パラメータの少なくとも１つのパラメータを含んでもよい。
【００５５】
ＣＯＲＥＳＥＴの周波数リソースの情報は、ＣＯＲＥＳＥＴ帯域幅（例えば、ＲＢ数によって表される）、ＣＯＲＥＳＥＴ周波数位置（例えば、ＳＳブロックに対する周波数オフセットによって表される）の少なくとも１つであってもよい。
【００５６】
ＣＯＲＥＳＥＴの時間リソースの情報は、ＣＯＲＥＳＥＴに対応するスロット内の連続するＯＦＤＭシンボルインデックスのセットを示す情報、ＣＯＲＥＳＥＴ時間幅（duration、例えば、ＣＯＲＥＳＥＴのシンボル数）の少なくとも１つであってもよい。
【００５７】
ＤＭＲＳマッピングタイプは、ＤＭＲＳがキャリア内の全てのＲＥＧへマップされること（ワイドバンドと呼ばれてもよい）、ＤＭＲＳがＣＯＲＥＳＥＴ内にマップされること（ＣＯＲＥＳＥＴと呼ばれてもよい）、の１つを示してもよい。なお、ＤＭＲＳマッピングタイプは、ＢＷＰ（Bandwidth  Part）内にマップされることを示してもよい。
【００５８】
他の関連パラメータは、ＲＭＳＩのタイミングを示すＲＭＳＩタイミング構成であってもよい。ＲＭＳＩタイミング構成は、ＲＭＳＩ  ＰＤＣＣＨモニタリングウィンドウ周期、ＲＭＳＩ  ＰＤＣＣＨモニタリングウィンドウ時間幅、ＲＭＳＩ  ＰＤＣＣＨモニタリングウィンドウオフセットの少なくとも１つであってもよい。
【００５９】
図２の例において、ＵＥ及び無線基地局は、ＳＳブロックの周波数帯によって異なる複数のＲＭＳＩ  ＣＯＲＥＳＥＴ構成テーブルを用いる。例えば、ｓｕｂ６バンド（６ＧＨｚ以下）に関連付けられたＲＭＳＩ  ＣＯＲＥＳＥＴ構成テーブル（図２Ａ）と、ｍｍＷバンド（６ＧＨｚ以上）に関連付けられたＲＭＳＩ  ＣＯＲＥＳＥＴ構成テーブル（図２Ｂ）と、が用いられる。
【００６０】
ＲＭＳＩ  ＣＯＲＥＳＥＴ構成テーブル内の各エントリは、ＲＭＳＩ  ＣＯＲＥＳＥＴ構成ビット情報と、ＳＳブロック及びＲＭＳＩ  ＣＯＲＥＳＥＴの多重方式と、ＤＭＲＳマッピングタイプと、ＣＯＲＥＳＥＴ帯域幅と、ＣＯＲＥＳＥＴ時間幅と、のフィールドを含む。ここでのＣＯＲＥＳＥＴ構成ビット情報の長さは、８ビットである。
【００６１】
ｓｕｂ６バンドでは、ｍｍＷバンドに比べて、ビーム数が少なくビームスイーピングに必要な時間が短いため、ＳＳブロック及びＣＯＲＥＳＥＴをＴＤＭする時間リソースを確保できる場合がある。ｍｍＷバンドでは、ｓｕｂ６バンドに比べて、ビーム数が多くビームスイーピングに必要な時間が長いため、ＳＳブロック及びＣＯＲＥＳＥＴの時間リソースが限られるため、ＳＳブロック及びＣＯＲＥＳＥＴをＦＤＭすることが好ましい場合がある。図２の例では、ｓｕｂ６バンドにおいてＳＳブロック及びＣＯＲＥＳＥＴはＴＤＭされ、ｍｍＷバンドにおいてＳＳブロック及びＣＯＲＥＳＥＴはＦＤＭされる。
【００６２】
ＳＳブロック及びＣＯＲＥＳＥＴがＴＤＭされる場合、ＳＳブロック及びＣＯＲＥＳＥＴがＦＤＭされる場合に比べて、ＣＯＲＥＳＥＴに使用できる周波数リソースが大きくなる場合がある。図２の例では、ｍｍＷバンドにおけるＣＯＲＥＳＥＴ帯域幅が所定値（２４ＲＢ）に制限され、ｓｕｂ６バンドにおけるＣＯＲＥＳＥＴ帯域幅は所定値以上の値に設定可能である。
【００６３】
ＳＳブロック及びＣＯＲＥＳＥＴがＦＤＭされる場合、ＳＳブロック及びＣＯＲＥＳＥＴがＴＤＭされる場合に比べて、ＣＯＲＥＳＥＴに使用できる時間リソースが大きくなる場合がある。図２の例では、ｓｕｂ６バンドにおけるＣＯＲＥＳＥＴ時間幅が所定値（１シンボル）に制限され、ｍｍＷバンドにおけるＣＯＲＥＳＥＴ時間幅は所定値以上の値に設定可能である。
【００６４】
ＣＯＲＥＳＥＴ構成ビット情報を用いてＲＭＳＩ  ＣＯＲＥＳＥＴの時間幅及び／又は帯域幅を設定することによって、ＲＭＳＩ  ＣＯＲＥＳＥＴの品質を担保することができる。
【００６５】
ＲＭＳＩ  ＣＯＲＥＳＥＴ構成に関連する複数のパラメータをジョイントコーディングすることによって、ＲＭＳＩ  ＣＯＲＥＳＥＴ構成の通知に必要な情報量を抑えつつ、ＲＭＳＩ  ＣＯＲＥＳＥＴ構成を柔軟に設定できる。ＵＥ及び無線基地局がＲＭＳＩ  ＣＯＲＥＳＥＴ構成テーブルを用いることによって、ＲＭＳＩ  ＣＯＲＥＳＥＴ構成の通知に必要な情報量を抑えつつ、ＲＭＳＩ  ＣＯＲＥＳＥＴ構成の認識を合わせることができる。また、周波数帯によって異なるＲＭＳＩ  ＣＯＲＥＳＥＴ構成テーブルが、異なる多重方式を示すことによって、周波数帯に適した多重方式を用いることができる。また、ＲＭＳＩ  ＣＯＲＥＳＥＴ構成テーブルが、ＤＭＲＳマッピングタイプを示すことによって、ＲＭＳＩ  ＣＯＲＥＳＥＴに適したＤＭＲＳの配置を用いることができる。
【００６６】
ＵＥが、ＳＳブロックの受信によって得られる明示的又は暗示的に得られる指示情報によって異なるＲＭＳＩ  ＣＯＲＥＳＥＴ構成テーブルを用いることによって、ＲＭＳＩ  ＣＯＲＥＳＥＴ構成ビット情報の長さが限られていても、ＲＭＳＩ  ＣＯＲＥＳＥＴを柔軟に設定することができる。また、指示情報に応じてＲＭＳＩ  ＣＯＲＥＳＥＴ構成テーブルを選択することによって、ＳＳブロックのニューメロロジーと、ＲＭＳＩ  ＣＯＲＥＳＥＴのニューメロロジーと、の関係に関わらず、ＲＭＳＩ  ＣＯＲＥＳＥＴ構成を決定できる。また、ＵＥ及び無線基地局は、指示情報に応じてＲＭＳＩ  ＣＯＲＥＳＥＴ構成テーブルを選択することによって、状況に適したＲＭＳＩ  ＣＯＲＥＳＥＴ構成を用いることができる。
【００６７】
ＲＭＳＩ  ＣＯＲＥＳＥＴ構成テーブルのエントリは、ＲＭＳＩ  ＣＯＲＥＳＥＴの構成情報であってもよい。ＲＭＳＩ  ＣＯＲＥＳＥＴ構成テーブルは、構成情報のセットであってもよい。
【００６８】
（第２の態様）
第２の態様では、ＲＭＳＩ  ＣＯＲＥＳＥＴのマッピングの設定方法を示す。
【００６９】
ＵＥ及び無線基地局は、指示情報、ＲＭＳＩ  ＣＯＲＥＳＥＴ構成ビット情報、ＲＭＳＩ  ＣＯＲＥＳＥＴ構成テーブルに基づいて、ＲＭＳＩ  ＣＯＲＥＳＥＴのマッピング（配置）を決定してもよい。例えば、ＳＳブロック及び／又はＲＭＳＩ  ＣＯＲＥＳＥＴの周波数帯、ＳＳブロック及び／又はＲＭＳＩ  ＣＯＲＥＳＥＴのニューメロロジー、ＳＳブロック及びＲＭＳＩ  ＣＯＲＥＳＥＴの多重方式、などの特定の情報に関連付けられたマッピングが予め設定され、ＵＥ及び無線基地局は、ＲＭＳＩ  ＣＯＲＥＳＥＴに対し、特定の情報に対応するマッピングを決定してもよい。
【００７０】
ＲＭＳＩ  ＣＯＲＥＳＥＴのマッピングは、ＳＳブロックの位置（時間リソース及び／又は周波数リソース）に対する、ＲＭＳＩ  ＣＯＲＥＳＥＴの相対位置であってもよい。
【００７１】
ＲＭＳＩ  ＣＯＲＥＳＥＴ構成テーブルが、ＲＭＳＩ  ＣＯＲＥＳＥＴのマッピングを示すパラメータ（フィールド）を含んでいてもよい。ＵＥは、指定情報と、ＲＭＳＩ  ＣＯＲＥＳＥＴ構成ビット情報と、ＲＭＳＩ  ＣＯＲＥＳＥＴ構成テーブルと、の少なくとも１つから得られる情報に基づいて、ＲＭＳＩ  ＣＯＲＥＳＥＴのマッピングを決定してもよい。例えば、ＵＥは、ＲＭＳＩ  ＣＯＲＥＳＥＴ構成テーブルから得られるパラメータと所定の式とを用いて、ＳＳブロックに対するＲＭＳＩ  ＣＯＲＥＳＥＴの相対位置を算出してもよい。
【００７２】
ＲＭＳＩ  ＣＯＲＥＳＥＴ構成テーブルがＲＭＳＩ  ＣＯＲＥＳＥＴのマッピングを示す情報を含むことによって、ＲＭＳＩ  ＣＯＲＥＳＥＴ構成ビット情報の長さが限られていても、より柔軟にＣＯＲＥＳＥＴ構成を通知できる。
【００７３】
図３及び図４は、周波数帯がｓｕｂ６バンドであり、ＳＳブロック及びＣＯＲＥＳＥＴがＴＤＭされる場合のＣＯＲＥＳＥＴのマッピングの一例を示す。
【００７４】
１スロット内のシンボル＃０−＃１３のうち、ＳＳブロック＃０がシンボル＃２−＃５において送信され、ＳＳブロック＃１がシンボル＃８−＃１１において送信される。スロットの先頭（ＳＳブロック＃０の前）の２シンボル（シンボル＃０−＃１）にはＳＳブロックが送信されない。また、ＳＳブロック＃０の直後（ＳＳブロック＃１の前）の２シンボル（シンボル＃６−＃７）にはＳＳブロックが送信されない。
【００７５】
図３は、ＳＳブロック及びＲＭＳＩ  ＣＯＲＥＳＥＴがＴＤＭされ、ＲＭＳＩ  ＣＯＲＥＳＥＴ構成ビット情報によって異なるＣＯＲＥＳＥＴ時間幅が設定される場合のＣＯＲＥＳＥＴのマッピングの一例を示す。ここでは、ＣＯＲＥＳＥＴの帯域幅は、ＳＳブロックの帯域幅に等しい。ここで、ＣＯＲＥＳＥＴの帯域幅は、ＳＳブロックの帯域幅と同一であり、ＣＯＲＥＳＥＴの中心周波数は、ＳＳブロックの中心周波数と同一である。
【００７６】
図３Ａ、図３Ｂ、図３Ｃは、それぞれ、ＣＯＲＥＳＥＴ時間幅が１シンボル、２シンボル、３シンボルである場合を示す。
【００７７】
図３Ａに示すようにＣＯＲＥＳＥＴ時間幅が１シンボルである場合と、図３Ｂに示すようにＣＯＲＥＳＥＴ時間幅が２シンボルである場合と、において、ＣＯＲＥＳＥＴ＃０はスロットの先頭（シンボル＃０−＃１）にマップされ、ＣＯＲＥＳＥＴ＃１はＳＳブロック（ＳＳＢ）＃０の直後（シンボル＃６−＃７）にマップされる。
【００７８】
図３Ｃに示すようにＣＯＲＥＳＥＴ時間幅が３シンボルである場合、ＣＯＲＥＳＥＴ＃０はスロットの先頭にマップされる。ＳＳブロック＃０は、ＣＯＲＥＳＥＴ＃０とオーバーラップすることを避けるためにパンクチャされる。また、ＣＯＲＥＳＥＴ＃１は、ＳＳブロック＃１とオーバーラップすることを避けるために、マップされない。したがって、ＣＯＲＥＳＥＴ＃０とＳＳブロック＃１だけがマップされる。
【００７９】
ＵＥは、指示情報、ＲＭＳＩ  ＣＯＲＥＳＥＴ構成ビット情報、及びＲＭＳＩ  ＣＯＲＥＳＥＴ構成テーブルの少なくとも１つに基づいて、実際に送信されたＳＳブロックの有無を決定してもよい（特定のＳＳブロックインデックスを有するＳＳブロックが実際に送信されるか否かを判定してもよい）。
【００８０】
ＵＥは、最初のＳＳブロックを見つけた時点において、そのスロット内に別のＳＳブロックがあるか否かを認識できない。例えば、ＵＥは、ＰＢＣＨを復調し、指示情報と、ＰＢＣＨ内のＲＭＳＩ  ＣＯＲＥＳＥＴ構成ビット情報と、ＲＭＳＩ  ＣＯＲＥＳＥＴ構成テーブルとに基づいて、３シンボルのＣＯＲＥＳＥＴがＳＳブロックとＴＤＭされることを認識すると、ＳＳブロック＃０の位置にＳＳブロックがないことを認識できる。
【００８１】
言い換えれば、ＵＥは、ＳＳブロック＃０があり、且つ３シンボルＣＯＲＥＳＥＴがあるケースを想定しなくてもよい。また、ＣＯＲＥＳＥＴ時間幅が所定値以上である場合、ＣＯＲＥＳＥＴ時間幅が所定値よりも小さい場合と比べて、ＳＳブロックの位置の解釈が変わる。また、ＵＥは、ＣＯＲＥＳＥＴ及びＳＳブロックがオーバーラップするケースを想定しなくてもよい。
【００８２】
図４は、図２Ａと同様のケースを示し、ＳＳブロック及びＲＭＳＩ  ＣＯＲＥＳＥＴがＴＤＭされ、ＲＭＳＩ  ＣＯＲＥＳＥＴ構成ビット情報によって異なるＣＯＲＥＳＥＴ帯域幅が設定される場合のＣＯＲＥＳＥＴのマッピングの一例を示す。ここで、ＳＳブロックとＣＯＲＥＳＥＴの中心周波数は同一である。ＳＳブロックの帯域幅は２４ＲＢである。ＣＯＲＥＳＥＴの時間幅は２シンボルである。
【００８３】
図４Ａ、図４Ｂ、図４Ｃは、それぞれ、ＣＯＲＥＳＥＴ帯域幅が２４ＲＢ、４８ＲＢ、９６ＲＢである場合を示す。
【００８４】
図５及び図６の例においては、例えば周波数帯がｍｍＷバンドであり、ＳＳブロック及びＣＯＲＥＳＥＴがＦＤＭされる。ここで、ＣＯＲＥＳＥＴの帯域は、ＳＳブロックの帯域に隣接し、ＣＯＲＥＳＥＴの周波数は、ＳＳブロックの周波数よりも高い。ＣＯＲＥＳＥＴの先頭のシンボルは、ＳＳブロックの先頭のシンボルと同一である。
【００８５】
図５は、図２Ｂと同様のケースを示し、ＳＳブロック及びＲＭＳＩ  ＣＯＲＥＳＥＴがＦＤＭされ、ＣＯＲＥＳＥＴ構成ビット情報によって異なるＣＯＲＥＳＥＴ時間幅が設定される場合のマッピングの一例を示す。ここで、ＳＳブロックとＣＯＲＥＳＥＴの帯域は同一である。
【００８６】
図５Ａ、図５Ｂ、図５Ｃは、それぞれ、ＣＯＲＥＳＥＴ時間幅が１シンボル、２シンボル、３シンボルである場合を示す。
【００８７】
図６は、ＳＳブロック及びＲＭＳＩ  ＣＯＲＥＳＥＴがＦＤＭされ、ＣＯＲＥＳＥＴ構成ビット情報によって異なるＣＯＲＥＳＥＴ帯域幅が設定される場合のＣＯＲＥＳＥＴのマッピングの一例を示す。ここで、ＳＳブロックの帯域幅は２４ＲＢである。
【００８８】
図６Ａ、図６Ｂ、図６Ｃは、それぞれ、ＣＯＲＥＳＥＴ帯域幅が２４ＲＢ、４８ＲＢ、９６ＲＢである場合を示す。
【００８９】
図７に示すように、ＲＭＳＩ  ＣＯＲＥＳＥＴ構成テーブル内の各エントリが、ＣＯＲＥＳＥＴのマッピングのタイプ（ＣＯＲＥＳＥＴマッピングタイプ）のフィールドを含んでいてもよい。ＣＯＲＥＳＥＴマッピングタイプは、予め設定された複数のＣＯＲＥＳＥＴマッピングタイプの１つを示していてもよい。
【００９０】
予め設定された複数のＣＯＲＥＳＥＴマッピングタイプは、多重方式によって異なってもよい。例えば、図７Ａに示すように、ｓｕｂ６バンドに関連付けられたＲＭＳＩ  ＣＯＲＥＳＥＴ構成テーブルにおいては、多重方式がＴＤＭであるため、ＣＯＲＥＳＥＴマッピングタイプは、ＴＤＭ用の複数のＣＯＲＥＳＥＴマッピングタイプの１つを示す。例えば、図７Ｂに示すように、ｍｍＷバンドに関連付けられたＲＭＳＩ  ＣＯＲＥＳＥＴ構成テーブルにおいては、多重方式がＦＤＭであるため、ＣＯＲＥＳＥＴマッピングタイプは、ＦＤＭ用の複数のＣＯＲＥＳＥＴマッピングタイプの１つを示す。
【００９１】
図８は、ＳＳブロック及びＲＭＳＩ  ＣＯＲＥＳＥＴがＦＤＭされる場合のＣＯＲＥＳＥＴマッピングタイプの一例を示す。ここで、ＣＯＲＥＳＥＴの帯域がＳＳブロックの帯域に隣接する。
【００９２】
ここでは、ＣＯＲＥＳＥＴの帯域幅が、ＳＳブロックの帯域幅に等しい場合を示しているが、ＳＳブロックの帯域幅と異なってもいてもよい。
【００９３】
ＦＤＭのＣＯＲＥＳＥＴマッピングタイプ１は、図８Ａに示すように、ＣＯＲＥＳＥＴの周波数が、ＳＳブロックの周波数よりも高い。ＦＤＭのＣＯＲＥＳＥＴマッピングタイプ２は、図８Ｂに示すように、ＣＯＲＥＳＥＴの周波数が、ＳＳブロックの周波数よりも低い。ＦＤＭのＣＯＲＥＳＥＴマッピングタイプ３は、図８Ｃに示すように、ＣＯＲＥＳＥＴが、半分の帯域幅を有する２つの帯域に分割され、それら２つの帯域がＳＳブロックの帯域の両側に隣接する。
【００９４】
図９は、ＳＳブロック及びＲＭＳＩ  ＣＯＲＥＳＥＴがＴＤＭされる場合のＣＯＲＥＳＥＴマッピングタイプの一例を示す。ここで、ＣＯＲＥＳＥＴの帯域はＳＳブロックの帯域と同一である。すなわち、ＣＯＲＥＳＥＴの帯域幅はＳＳブロックの帯域幅と同一であり、ＣＯＲＥＳＥＴの中心周波数はＳＳブロックの中心周波数と同一である。ＣＯＲＥＳＥＴ時間幅は、１シンボルである。
【００９５】
ここでは、ＣＯＲＥＳＥＴの周波数位置（帯域幅及び中心周波数）が、ＳＳブロックの周波数位置に等しい場合を示しているが、ＳＳブロックの周波数位置（帯域幅及び／又は中心周波数）と異なってもいてもよい。
【００９６】
スロットの期間のうち、ＳＳブロックを送信しない期間（時間リソース）は、空き期間と呼ばれてもよい。
【００９７】
ＴＤＭのＣＯＲＥＳＥＴマッピングタイプ１は、各ＣＯＲＥＳＥＴを、対応するＳＳブロックよりも前（対応するＳＳブロックの直前の空き期間の先頭）に配置する。
【００９８】
例えば、図９Ａに示すように、ＣＯＲＥＳＥＴ＃０は、対応するＳＳブロック＃０の前のシンボル＃０−＃１（空き期間）の先頭シンボル＃０に配置され、ＣＯＲＥＳＥＴ＃１は、対応するＳＳブロック＃１の前のシンボル＃６−＃７（空き期間）の先頭シンボル＃６に配置される。
【００９９】
ＴＤＭのＣＯＲＥＳＥＴマッピングタイプ２は、各ＣＯＲＥＳＥＴを、スロットの先頭（１番目の空き期間の先頭）から順に配置する。
【０１００】
例えば、図９Ｂに示すように、ＣＯＲＥＳＥＴ＃０は、スロットの先頭のシンボル＃０に配置され、ＣＯＲＥＳＥＴ＃１は、次のシンボル＃１に配置される。
【０１０１】
ＴＤＭのＣＯＲＥＳＥＴマッピングタイプ３は、各ＣＯＲＥＳＥＴを、ＳＳブロック＃０の直後（２番目の空き期間の先頭）から順に配置する。
【０１０２】
例えば、図９Ｃに示すように、ＣＯＲＥＳＥＴ＃０は、ＳＳブロック＃０の直後のシンボル＃６に配置され、ＣＯＲＥＳＥＴ＃１は、次のシンボル＃７に配置される。
【０１０３】
ＦＤＭ及び／又はＴＤＭに対し、複数のＣＯＲＥＳＥＴマッピングタイプが仕様によって規定されてもよい。ＵＥは、ＲＭＳＩ  ＣＯＲＥＳＥＴ構成テーブルのフィールドに示された１つのＣＯＲＥＳＥＴマッピングタイプを決定してもよいし、指示情報、ＲＭＳＩ  ＣＯＲＥＳＥＴ構成ビット情報、ＲＭＳＩ  ＣＯＲＥＳＥＴ構成テーブルに基づくパラメータと、所定の式とに基づいて、１つのＣＯＲＥＳＥＴマッピングタイプを決定してもよい。
【０１０４】
ＲＭＳＩ  ＣＯＲＥＳＥＴ構成テーブルが、ＦＤＭ及び／又はＴＤＭのマッピングのタイプを示す情報を含むことによって、ＲＭＳＩ  ＣＯＲＥＳＥＴ構成ビット情報の長さが限られていても、ＲＭＳＩ  ＣＯＲＥＳＥＴをより柔軟に設定することができる。
【０１０５】
なお、ＦＤＭ及び／又はＴＤＭのマッピングの１つのタイプが、仕様によって規定されてもよい。
【０１０６】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【０１０７】
図１０は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１０８】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１０９】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示すものに限られない。
【０１１０】
ユーザ端末２０は、無線基地局１１及び無線基地局１２の双方に接続することができる。ユーザ端末２０は、マクロセルＣ１及びスモールセルＣ２を、ＣＡ又はＤＣにより同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１１１】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１１２】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成であってもよい。
【０１１３】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１１４】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１１５】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１１６】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１１７】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックを有する帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１１８】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨにより、ユーザデータ、上位レイヤ制御情報、ＳＩＢ（System  Information  Block）などが伝送される。また、ＰＢＣＨにより、ＭＩＢ（Master  Information  Block）が伝送される。
【０１１９】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及び／又はＰＵＳＣＨのスケジューリング情報を含む下り制御情報（ＤＣＩ：Downlink  Control  Information）などが伝送される。
【０１２０】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１２１】
ＰＣＦＩＣＨにより、ＰＤＣＣＨに用いるＯＦＤＭシンボル数が伝送される。ＰＨＩＣＨにより、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１２２】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報などが伝送される。また、ＰＵＣＣＨにより、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨにより、セルとの接続確立のためのランダムアクセスプリアンブルが伝送される。
【０１２３】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１２４】
＜無線基地局＞
図１１は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１２５】
下りリンクにより無線基地局１０からユーザ端末２０に送信されるユーザデータは、上位局装置３０から伝送路インターフェース１０６を介してベースバンド信号処理部１０４に入力される。
【０１２６】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１２７】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１２８】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１２９】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１３０】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１３１】
また、送受信部１０３は、制御リソースセット（例えば、ＲＭＳＩ  ＣＯＲＥＳＥＴ）の構成に関するビット情報（例えば、ＲＭＳＩ  ＣＯＲＥＳＥＴ構成ビット情報）を含む同期信号ブロック（例えば、ＳＳブロック、ＳＳ／ＰＢＣＨブロック）を送信してもよい。
【０１３２】
図１２は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有しているものとする。
【０１３３】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１３４】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０１３５】
制御部３０１は、例えば、送信信号生成部３０２による信号の生成、マッピング部３０３による信号の割り当てなどを制御する。また、制御部３０１は、受信信号処理部３０４による信号の受信処理、測定部３０５による信号の測定などを制御する。
【０１３６】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１３７】
また、制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１３８】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１３９】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１４０】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１４１】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１４２】
受信信号処理部３０４は、受信処理により復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１４３】
測定部３０５は、受信した信号に関する測定を実施する。測定部３０５は、本発明に係る技術分野での共通認識に基づいて説明される測定器、測定回路又は測定装置から構成することができる。
【０１４４】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１４５】
＜ユーザ端末＞
図１３は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１４６】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１４７】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１４８】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１４９】
また、送受信部２０３は、制御リソースセット（例えば、ＲＭＳＩ  ＣＯＲＥＳＥＴ）の構成に関するビット情報（例えば、ＲＭＳＩ  ＣＯＲＥＳＥＴ構成ビット情報）を含む同期信号ブロック（例えば、ＳＳブロック、ＳＳ／ＰＢＣＨブロック）を受信してもよい。
【０１５０】
図１４は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有しているものとする。
【０１５１】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１５２】
制御部４０１は、ユーザ端末２０全体の制御を実施する。制御部４０１は、本発明に係る技術分野での共通認識に基づいて説明されるコントローラ、制御回路又は制御装置から構成することができる。
【０１５３】
制御部４０１は、例えば、送信信号生成部４０２による信号の生成、マッピング部４０３による信号の割り当てなどを制御する。また、制御部４０１は、受信信号処理部４０４による信号の受信処理、測定部４０５による信号の測定などを制御する。
【０１５４】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１５５】
また、制御部４０１は、無線基地局１０から通知された各種情報を受信信号処理部４０４から取得した場合、当該情報に基づいて制御に用いるパラメータを更新してもよい。
【０１５６】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０１５７】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１５８】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１５９】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１６０】
受信信号処理部４０４は、受信処理により復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１６１】
測定部４０５は、受信した信号に関する測定を実施する。測定部４０５は、本発明に係る技術分野での共通認識に基づいて説明される測定器、測定回路又は測定装置から構成することができる。
【０１６２】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ）、信号強度（例えば、ＲＳＳＩ）、伝搬路情報（例えば、ＣＳＩ）などについて測定してもよい。測定結果は、制御部４０１に出力されてもよい。
【０１６３】
また、制御部４０１は、受信（例えば、ＳＳブロックの受信）に基づく指示情報に関連付けられた構成情報セット（例えば、ＲＭＳＩ  ＣＯＲＥＳＥＴ構成テーブル）内の、ビット情報（例えば、ＲＭＳＩ  ＣＯＲＥＳＥＴ構成ビット情報）に関連付けられた構成情報（例えば、エントリ）に基づいて、制御リソースセット（例えば、ＲＭＳＩ  ＣＯＲＥＳＥＴ）の構成の決定を制御してもよい。
【０１６４】
また、指示情報は、同期信号ブロック及び／又は制御リソースセットの、周波数帯及びニューメロロジー（例えば、サブキャリア間隔）の１つであってもよい。
【０１６５】
また、制御部４０１は、前記構成情報に基づいて、実際に送信される同期信号ブロックの有無を決定してもよい。
【０１６６】
また、構成情報セットは、予め設定された複数の構成情報セットの１つであり、ビット情報の複数の値にそれぞれ関連付けられた複数の構成情報を含んでもよい。
【０１６７】
また、複数の構成情報セットのそれぞれは、同期信号ブロックに対する制御リソースセットの相対位置（例えば、時間位置及び／又は周波数位置、ＣＯＲＥＳＥＴマッピングタイプ）と、制御リソースセットのためのデータ復調用参照信号のマッピング（例えば、ＤＭＲＳマッピングタイプ）と、同期信号ブロック及び制御リソースセットの多重方式と、相対位置と前記マッピングと多重方式との少なくとも１つの組み合わせを指定するパターン（例えば、ＲＭＳＩ  ＣＯＲＥＳＥＴ構成ビット情報）と、の少なくとも１つを含んでもよい。
【０１６８】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１６９】
例えば、本発明の一実施形態における無線基地局、ユーザ端末などは、本発明の無線通信方法の処理を行うコンピュータとして機能してもよい。図１５は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７０】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１７１】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１７２】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１７３】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１７４】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１７５】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１７６】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１７７】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１７８】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１７９】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８０】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１８１】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１８２】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１８３】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１８４】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１８５】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１８６】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１８７】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１８８】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１８９】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９０】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１９１】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１９２】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１９３】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１９４】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１９５】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９６】
また、情報、信号などは、上位レイヤから下位レイヤ、及び／又は下位レイヤから上位レイヤへ出力され得る。情報、信号などは、複数のネットワークノードを介して入出力されてもよい。
【０１９７】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１９８】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１９９】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２００】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２０１】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２０２】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２０３】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２０４】
本明細書において使用する「システム」及び「ネットワーク」という用語は、互換的に使用される。
【０２０５】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２０６】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２０７】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２０８】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２０９】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２１０】
同様に、本明細書におけるユーザ端末は、無線基地局で読み替えてもよい。この場合、上述のユーザ端末２０が有する機能を無線基地局１０が有する構成としてもよい。
【０２１１】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２１２】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２１３】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２１４】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１５】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２１６】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２１７】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２１８】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２１９】
本明細書において、「ＡとＢが異なる」という用語は、「ＡとＢが互いに異なる」ことを意味してもよい。「離れる」、「結合される」などの用語も同様に解釈されてもよい。
【０２２０】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２２１】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019097633.tif 000003
【図２】
2019097633.tif 000004
【図３】
2019097633.tif 000005
【図４】
2019097633.tif 000006
【図５】
2019097633.tif 000007
【図６】
2019097633.tif 000008
【図７】
2019097633.tif 000009
【図８】
2019097633.tif 000010
【図９】
2019097633.tif 000011
【図１０】
2019097633.tif 000012
【図１１】
2019097633.tif 000013
【図１２】
2019097633.tif 000014
【図１３】
2019097633.tif 000015
【図１４】
2019097633.tif 000016
【図１５】
2019097633.tif 000017
【国際調査報告】
2019097633.tif 000018
2019097633.tif 000019